(57)【要約】【課題】人目を引き付ける効果の高い造花等のアレンジメントを容易に製作でき、尚且つ簡便に運搬・据え付け等が行える造花等のディスプレイスタンドの提供。【解決手段】枠１に金網２を張ったディスプレイパネル３を、自立するスタンド４に着脱自在に取付けていることを特徴とする。【選択図】      図１
2005009036.tif 000002
【特許請求の範囲】
【請求項１】
枠（１）に金網（２）を張ったディスプレイパネル（３）を、自立するスタンド（４）に取付けていることを特徴とする造花等のディスプレイスタンド。
【請求項２】
ディスプレイパネル（３）を、スタンド（４）に着脱自在に取付けていることを特徴とする請求項１記載の造花等のディスプレイスタンド。
【請求項３】
ディスプレイパネル（３）は、裏面側に設けた複数のフック（５ａ，５ｂ）をスタンド（４）に引っ掛けることによりスタンドに取り付けられ、且つディスプレイパネル（３）の形状が縦長の長方形となっており、その横幅がスタンド（４）の横幅よりも小さいことを特徴とする請求項１又は２記載の造花等のディスプレイスタンド。
【請求項４】
ディスプレイパネルの金網（２）は、ウエーブ付きの線材で構成してあることを特徴とする請求項１、２又は３記載の造花等のディスプレイスタンド。
【請求項５】
ディスプレイパネルの金網（２）に引っ掛けて名札取付用ブラケット（６，７）を設け、そのブラケットを用いて名札（１７）をディスプレイパネル（３）から浮いた状態に設置したことを特徴とする請求項１、２、３又は４記載の造花等のディスプレイスタンド。
【発明の詳細な説明】
【０００１】
【発明の属する技術分野】
本発明は、新装開店の店舗の店先等に設置される造花等のディスプレイスタンドに関するものである。
【０００２】
【従来の技術】
従来、店舗の新装開店等のお祝い事や、葬儀や通夜の時には、造花をあしらった花輪や花篭が一般的に用いられる。それらは外観がどれも同じようなもので、何ら目新しいものではないから、人目を引き付ける効果がそれほど大きくはないと考えられる。そのため、花輪の中に電飾を埋め込んで目立つようにしたものもある（例えば特許文献１参照。）。また、花輪は大きくて重いため、据え付けや撤収、運搬、保管等に多大な労力を要している。
【０００３】
【特許文献１】
特開２００２−１０２０５０号公報
【０００４】
【発明が解決しようとする課題】
本発明は以上に述べた実情に鑑みてなされたものであって、人目を引き付ける効果の高い造花等のアレンジメントを容易に製作でき、尚且つ簡便に運搬・据え付け等が行える造花等のディスプレイスタンドの提供を目的とする。
【０００５】
【課題を解決するための手段】
上記の課題を達成するために、請求項１記載の発明による造花等のディスプレイスタンドは、枠に金網を張ったディスプレイパネルを、自立するスタンドに取付けていることを特徴とする。枠の形状は特に限定しないが、例えば方形、円形、三角形等、多様な形状が挙げられる。スタンドは、アルミ等の軽金属や強化プラスチック等のパイプを用いて、軽く作ってあることが好ましい。またスタンドの脚は、折り畳めるようにしてあることが好ましい。
【０００６】
前記ディスプレイパネルは、スタンドに取り外せないように固定してもよいが、請求項２に記載したようにスタンドに着脱自在に取付けるようにすれば、運搬や据え付け等が容易に行える。
【０００７】
請求項３記載の発明は、ディスプレイパネルは、裏面側に設けた複数のフックをスタンドに引っ掛けることによりスタンドに取り付けられ、且つディスプレイパネルの形状が縦長の長方形となっており、その横幅がスタンドの横幅よりも小さいことを特徴とする。このように形成すると、ディスプレイパネルのスタンドへの着脱を容易に行うことができ、また、飾り付けをしたディスプレイパネルをスタンドに取付けたままの状態でも、容易に持ち運ぶことができる。
【０００８】
請求項４記載の発明は、ディスプレイパネルの金網は、ウエーブ付きの線材で構成してあることを特徴とする。
【０００９】
請求項５記載の発明は、ディスプレイパネルの金網に引っ掛けて名札取付用ブラケットを設け、そのブラケットを用いて名札をディスプレイパネルから浮いた状態に設置したことを特徴とする。
【００１０】
【発明の実施の形態】
以下、本発明の実施の形態を図面に基づいて説明する。図１〜図３は、本発明による造花等のディスプレイスタンドの一実施形態を示している。このディスプレイスタンドは、図１、図２に示すように、自立するスタンド４に、金網２を張ったディスプレイパネル３を着脱自在に備え、ディスプレイパネル３の金網２に挿通保持させて、造花等を自由に飾り付けできるようにしたものである。図５は、本ディスプレイスタンドの使用状態の一例を示している。
【００１１】
スタンド４は、アルミ製パイプをＵ字状に曲げて形成した本体フレーム８と、同じくアルミ製パイプをＵ字状に曲げて形成した脚フレーム９とを備える。本体フレーム８には、上下二本の横材１０ａ，１０ｂを架設してある。脚フレーム９の上端部はパイプ１１で連結してあり、同パイプを本体フレーム８の上側の横材１０ａに通してある。また、脚フレーム９にも横材１２が架設してあって、本体フレーム８の下側の横材１０ｂと脚フレーム９の横材１２とが、中間で折れ曲る連結具１３により連結してある。連結具１３を折って脚フレーム９を本体フレーム８側に回動させることでスタンド４はコンパクトな形となり、トラック等に積んで運搬する際には、その形で上下に積み重ねて載置できる。
【００１２】
ディスプレイパネル３は、スチール等の金属の線材からなる金網２を、金属製の枠１で囲って補強したものである。枠１は溝形フレームを方形に枠組みして形成してあり、各フレームの溝内に金網２の端部を保持している。ディスプレイパネル３は、縦長の長方形に形成してあり、その横幅はスタンドの本体フレーム８の横幅よりも小さくなっている。ディスプレイパネル３は、裏側に四つのフック５ａ，５ａ，５ｂ，５ｂを備えており、このフックをスタンド４の本体フレーム８の上部と本体フレームの上側の横材１０ａに引っ掛けて、スタンド４に取付けている。四つのフックの内、下側の二つのフック５ｂ，５ｂは前後方向の張り出し部１４を有しており、これによってディスプレイパネル３は、図２に示すように、本体フレーム８から前方にせり出すような形で設置され、これによりディスプレイパネル３の造花等を、一層際立たせて見せる効果がある。
【００１３】
ディスプレイパネル３の金網２は、図３に示すように、波状の細かいウエーブの付いた線材で構成されている。このように線材に細かいウエーブが付けられていることで、造花１５の針金の入った茎の部分１６が、単に金網２に２〜３回通しただけで金網のウエーブに引っ掛かって滑ることなく保持され、茎の部分１６を折り曲げるなどして金網に絡み付けることをしなくても、強風や運搬時の振動等によっては造花１５が落下することがない。したがって造花１５の飾り付けを手早く簡単に行うことができ、また、展示が終わって造花１５を金網から外す際には、造花１５の先端部を持って引っ張れば簡単に抜ける。金網２の線材同士の間隔は、ここでは横が５ｃｍ程度、縦が２ｃｍ程度としている。造花１５の飾り付けにはこの寸法が適していると考えられるが、飾り付けるものに応じて適当な寸法にすればよい。
【００１４】
ディスプレイパネル３には、造花等の他に、御祝のメッセージ等を記した名札１７が取り付けられる。図４は、名札１７の取り付け方の例を示しており、図４（イ）に示す例は、パネル３の前面側に、金網２に引っ掛けて名札取付用のブラケット６を取付け、そのブラケット６上に名札１７をパネル面から浮かせて取付けている。ブラケット６は、金網２の任意の位置に取付けできるので、名札１７の取付位置も自由に選択できる。図４（ロ）に示す例は、パネル３の裏面側に、金網２に引っ掛けてブラケット７を取付け、名札１７の裏面に固着した棒１９をブラケット７に挿通・固定することにより、名札１７をパネル３の上方に浮かせて設置している。
【００１５】
ディスプレイパネル３を造花等で飾り付けすると、図５に示すようにスタンド４が造花１５等で隠れる状態となる。先に述べたように、ディスプレイパネル３の横幅は、スタンド４の横幅よりも小さくしてあるので、本ディスプレイスタンドの設置場所を移動させたい場合には、後ろ側から本体フレーム８の縦フレームを左右の手でそれぞれ掴むことで、本スタンドを容易に持ち上げて運ぶことができる。また、風の強い場所に設置する場合には、重石（図示省略）を脚フレーム９の設地部１８上に載置することで、転倒を防止できる。
【００１６】
ディスプレイパネル３に飾り付けるものは、造花１５に限らず生花を飾り付けてもよい。また本スタンドの用い方としては、店舗の開店祝いや葬式等といった慶弔用の贈り物として用いることが主に考えられるが、クリスマスやバレンタインデーの時期などには、ディスプレイパネルにぬいぐるみやお菓子等を自由に飾り付けし、販促用のディスプレイとして用いることもできる。ディスプレイパネルは、設置する場所や用途等に応じて、大きさや形状、金網の目の大きさ等が異なるものを、適宜選択して用いることができる。
【００１７】
【発明の効果】
請求項１記載の発明による造花等のディスプレイスタンドは、金網を張ったディスプレイパネルの一面に造花等を自由に飾り付けして、見る人に強くアピールする豪華な造花等のアレンジメントを容易に製作できる。
【００１８】
請求項２記載の発明のように、ディスプレイパネルをスタンドに着脱自在に取り付けるようにすることで、本ディスプレイスタンドの据え付け、運搬、保管等が容易に行える。また、ディスプレイパネルを、設置する場所や目的、飾り付けするもの等に合わせて交換することが可能となり、より利便性に優れたものとなる。
【００１９】
請求項３記載の発明は、ディスプレイパネル裏面側に設けたフックをスタンドに引っ掛けるようにしたので、ディスプレイパネルのスタンドへの着脱が容易である。また、ディスプレイパネルの横幅がスタンドの横幅よりも小さいことで、造花等で飾り付けをしたディスプレイパネルをスタンドに取付けたままの状態でも、スタンドの縦フレームを持ち手として持ち上げ、設置場所を容易に移動させることができる。
【００２０】
請求項４記載の発明は、ディスプレイパネルの金網をウエーブ付きの線材で構成したので、ディスプレイパネルに造花を飾り付ける場合に、造花の茎の部分を金網に２〜３回通すだけで金網に保持されるから、造花の飾り付けを手早く簡単に行うことができる。
【００２１】
請求項５記載の発明によれば、名札が、造花等によって隠れることなく、目立つ状態でディスプレイパネルに取り付けられ、しかも名札の取付位置を自由に選択できる。
【図面の簡単な説明】
【図１】本発明の造花等のディスプレイスタンドの正面図である。
【図２】本発明の造花等のディスプレイスタンドの側面図である。
【図３】ディスプレイパネルを拡大して示す斜視図である。
【図４】（イ）（ロ）名札の取り付け方の例を示す側面図である。
【図５】本発明の造花等のディスプレイスタンドの使用状態を示す正面図である。
【符号の説明】
１  枠
２  金網
３  ディスプレイパネル
４  スタンド
５ａ，５ｂ  フック
６，７  名札取付用ブラケット
１７  名札
【図１】
2005009036.tif 000003
【図２】
2005009036.tif 000004
【図３】
2005009036.tif 000005
【図４】
2005009036.tif 000006
【図５】
2005009036.tif 000007